(57)【特許請求の範囲】
【請求項１】
ケースの周囲二面，ないし三面を開放したケース本体の庫内に上下段に並べて設置したショーケースの陳列棚であり、各段の陳列棚がコーナー端面を突き合わせて水平，ないし前傾姿勢に並べた複数枚の棚板の組合せからなり、かつ各棚板ごとにその前面にプライスカードを支持する引抜加工品としてなる直線状のタグモールを装着したものにおいて、前記タグモールの端面相互間にまたがって外形が円弧状になるコーナートリムを介装するとともに、前記コーナートリムを一方のタグモールにのみ連結し、他方のタグモールとの間をフリー状態に突き合わせたことを特徴とするショーケースの陳列棚。
【請求項２】
請求項１記載の陳列棚において、コーナートリムがタグモールのモール部の断面より一回り大きな断面を有する樹脂成形品としてなり、その片方の端面から側方に突き出す軸状の支持アームを一体成形し、該支持アームをタグモールの端面に開口している引抜溝内に差し込んで連結したことを特徴とするショーケースの陳列棚。
【請求項３】
請求項２記載の陳列棚において、コーナートリムの支持アームと平行に先端に突起を有する舌片状の係合片を一体成形し、該係合片の先端突起をタグモールの溝壁に形成した係合穴に嵌合してコーナートリムを連結位置に係止固定したことを特徴とするショーケースの陳列棚。
【発明の詳細な説明】
【０００１】
【発明の属する技術分野】
ラウンドオープンショーケースなどを実施対象に、そのケース本体の庫内に上下段に並べて設置したショーケースの陳列棚に関する。
【０００２】
【従来の技術】
スーパーマーケットなどの大形店舗で、店内売り場の中央に冷蔵食品，生鮮食品など陳列する冷蔵ショーケースを構築する場合には、背中合わせに並べた多段形オープンショーケースの両端に、ケース本体の周囲三面を開放したラウンドショーケースと呼ばれるオープンショーケースを組合せて使用する場合が多い。
【０００３】
図３，図４はかかるラウンドショーケースの構成図であり、図において、１，２は背中合わせに並べて店内のフロアに据付けた多段形オープンショーケース、３がこの発明の実施対象となるラウンドショーケースである。
ここで、ラウンドショーケース３は、ケース本体４の前面，および左右側面の三面が開放しており、ケース本体４の庫内にはオープンショーケース１，２の各陳列棚と高さを揃えて上下段に並ぶ複数段の陳列棚５を装備している。また、各段の陳列棚５は、コーナーの突き合わせ端面を対角線に沿って斜めにカットした３枚の棚板（鋼板製）５ａ，５ｂ，５ｃをコ字形に並べた上で、水平ないし前傾姿勢に並べ、各棚板を下面側からブラケット（図示せず）で支持しており、かつ各棚板ごとにその前面にはプライスカード（商品の銘柄，価格などを表示したカード）６を支持するタグモール７，および透明樹脂で作られた棚フェンス８を装備している。なお、θは棚板の取付角度であり、棚上に並べた商品が前方から見やすいように、上下段に並ぶ各陳列棚５ごとに、その高さ位置に応じて取付角度θを例えば０°（水平），７°，１４°，２１°の４段階に設定されている。
【０００４】
また、前記タグモール７は、例えばばアルミニウムの引抜加工品で作られたものであって前記棚板５ａ〜５ｃの前縁に折り曲げ形成したフランジ部５ｄへ嵌め込み式に係止されており、かつタグモール７の両端（裁断面）にはタグモールの断面形状と略同じ樹脂製のキャップ７ａを装着している。なお、キャップ７ａは端面に断面三角形の支持アームを一体に突き出し成形しておき、この支持アームをタグモール７の端面に開口している断面三角形の引抜溝（タグモールを引抜加工する際に形成される）に差し込んで固定している。
【０００５】
なお、前記したラウンドショーケースの変形例として、ケース本体の前面，側面の二面が開放したラウンドショーケースを店内売り場の壁側に据付けた多段式オープンショーケースの両端に連結して使用する例もある。このショーケースでは２枚の棚板をＬ字形に突き合わせて各段の陳列棚を構成している。
ところで、前記した従来の棚構造のままでは、図４(a) で示すように、棚コーナー部で各棚板の前面に装着したタグモール７の端面相互間にＶ字状の隙間Ｇが残っており、この隙間に角張って突き出す棚板のコーナー部がそのまま露呈している。このために、顧客が陳列棚から商品を取り出すために手を伸ばした際に腕が棚板の角張ったコーナー部分に当たって思わぬ怪我をしたり、衣服の袖口がタグモール７の端面に引っ掛かるなどするおそれがあって危険であるほか、タグモール７が途切れていて一体感がなく、棚全体の外見上の見栄えも悪い。
【０００６】
一方、前記のような怪我の発生防止，並びに陳列棚の外観上の体裁を良くするために、各棚板に装着したタグモールの端面相互間にコーナートリムと呼ばれる樹脂成形品で作られたコーナー部材を介装して棚板に固定し、棚板の角張ったコーナー部分を外側から覆うようにした構成の陳列棚が公知である（実公平８−９２３号公報）。このように陳列棚の棚板コーナー部にコーナートリムを取付けてタグモールの端面相互間の隙間Ｇ（図４参照）を埋めることにより、タグモールが途切れず、かつ棚板の角張ったコーナー部分がコーナートリムの背後に隠れるので、見栄えも良くなるほか、怪我の発生防止上でも有効である。
【０００７】
【発明が解決しようとする課題】
ところで、前記したコーナートリムをラウンドショーケースの陳列棚のコーナー部に装着するに当たっては、次記のような解決すべき問題がある。
すなわち、図４(a) のように陳列棚５のコーナー部で各棚板５ａ，５ｂを斜めカットして突き合わせた構成のものでは、棚板の取付角度θが０°（水平）であれば棚板５ａ，５ｂが同一面上に並ぶのでコーナートリムの取付けに問題がないが、棚板５ａ，５ｂの取付角度θを変えて前傾姿勢に取付けた棚では、棚板相互間の継ぎ目が山形に傾くことから、棚板の継ぎ目にまたがってコーナートリムをビス止めして取付けるには、あらかじめ棚板の取付角度θに合わせて作製した複数種類のコーナートリムの中から棚板取付角度に適合したコーナートリムを選んで装着する必要があるほか、据付け現場でのビス止め作業に手間がかかる。
【０００８】
また、コーナートリムを棚板のコーナー継ぎ目にまたがって取付ける代わりに、タグモールの両端を各棚板の前面に敷設したタグモール７（図４参照）の端面にまたがって連結（例えばコーナートリムの両端面から突き出した軸状の支持アームをタグモールの溝に差し込む）する方法も考えられるが、この取付け方法でも前記のように棚板の取付角度θが変わると、直角方向に並ぶタグモール相互間の相対的な角度が変化するために、同一のコーナートリムを共通部品として取付角度の異なる棚板に連結させることができない。
【０００９】
この発明は上記の点に鑑みなされたものであり、その目的は前記課題を解決し、前記したラウンドショーケースの陳列棚を対象に、陳列棚のコーナー部にコーナートリムを装着して見栄えの改善，怪我防止を図りつつ、同じコーナートリム部品で取付角度の異なる陳列棚にも対応できるようにその取付け構造を改良したショーケースの陳列棚を提供することにある。
【００１０】
【課題を解決するための手段】
上記目的を達成するために、この発明によれば、ラウンドショーケースなどを実施対象に、ケースの周囲二面，ないし三面を開放したケース本体の庫内に上下段に並べて設置した各段の陳列棚が、斜めにカットしたコーナー端面を突き合わせて水平，ないし前傾姿勢に並べた複数枚の棚板の組合せからなり、かつ各棚板ごとにその前面にプライスカードを支持する引抜加工品としてなる直線状のタグモールを装着した陳列棚において、
(1) 前記タグモールの端面相互間にまたがって外形が円弧状になるコーナートリムを介装するとともに、前記コーナートリムを一方のタグモールにのみ連結し、他方のタグモールとの間をフリー状態に突き合わせて装着するものとする。（請求項１）
(2) 前項(1) の構成において、コーナートリムをタグモールのモール部の断面より一回り大きな断面を有する樹脂成形品で作り、かつその片方の端面から側方に突き出す軸状の支持アームを一体成形し、該支持アームをタグモールの端面に開口している引抜溝内に差し込んで連結する。（請求項２）
(3) 前項(1) の構成において、コーナートリムの支持アームと平行に先端に突起を有する舌片状の係合片を一体成形し、該係合片の先端突起をタグモールの溝壁に形成した係合穴に嵌合してコーナートリムを連結位置に係止固定する。（請求項３）
上記(1) 〜(3) 項のコーナートリムの取付け構造によれば、陳列棚のコーナー部に介装したコーナートリムが片方のタグモールの端面に連結されており、他方のタグモールとの間は切り離されてフリーの状態にある。したがって、陳列棚の取付角度が変わっても、何ら支障なくコーナートリムを棚のコーナー部に装着することができ、これによりコーナーを共通部品として取付角度の異なる棚への対応が可能となる。また、この場合にタグモールの端面をタグモールの断面より一回り大きめにしておくことで、コーナートリムと非連結側タグモールの端面との間の相対的なずれをカバーできる。しかも、コーナートリムの連結部に支持アームと突起付き係合片を併設し、係合片の突起をタグモールへの差し込み位置でタグモール側の係合穴に係止することにより、コーナートリムをワンタッチで簡単に装着でき、しかもトリムが不測にタグモールから脱落するおそれもない。
【００１１】
【発明の実施の形態】
以下、この発明の実施例を図１，図２に基づいて説明する。なお、実施例の図中で図４に対応する同一部材には同じ符号が付してある。
図１(a),(b) において、陳列棚５のコーナー部には各棚板５ａ，５ｂの前面に装着したタグモール７の端面相互間に残るＶ字形の隙間（図４(a) 参照）を埋めるようにコーナートリム９が介装されている。このコーナートリム９は、図２で示すように外形が円弧状になる樹脂成形品としてなり、その端面がタグモール７の断面形状よりも一回り大きめに設定されている。また、タグモール７の端面に対向するトリムの両端面は平坦面で、かつ片方の端面から断面三角形に突き出す軸状の支持アーム９ａ，および該支持アーム９ａの下側に並べて平行に伸びた係合片９ｂ（肉厚を薄くしてばね性を持たせている）がコーナートリムの本体に一体成形されており、かつ係合片９ｂの先端には突起９ｃが形成されている。一方、タグモール７の端部には引抜溝７ｂの底面に前記係合片９ｂの突起９ｃと係合し合う係合穴７ｃが穿孔してある。
【００１２】
なお、ショーケースの庫内で上下段に並ぶ陳列棚５の取付角度θを０°（水平），７°，１４°，２１°の４段階に設定する場合には、コーナートリム９として、０°，７°に共用なトリム，および１４°，２１°に共用なトリムとの２種類の部品を用意し、かつ各部品の形状（フリー端面を基準とした支持アームの傾き角度）を棚板の取付角度θの中間角度（０°，７°の共用トリムでは３．５°，１４°，２１°の共用トリムでは１７．５°）に合わせて設定しておく。
【００１３】
そして、陳列棚５を組立てる際には、前記した支持アーム９ａ，係合片９ｂを棚板５ａの前面に装着したタグモール７に対し、その端面に開口している引抜溝７ｂへ側方から差し込んで連結し、係合片９ｂの先端突起９ｃをタグモール側の係合穴７ｃに嵌め込んでその位置に係止固定する。これにより、コーナートリム９がタグモール７から不測に脱落するおそれはない。また、他方の棚板５ｂの前面に装着したタグモール７の端面には、図４の従来構造と同様なキャップ７ａを取付けておき、陳列棚５を組立てた状態で棚板５ｂに装着したタグモール７を矢印Ｐ方向に押し込んでキャップ７ａをコーナートリム９の端面に突き合わせ、両者間の隙間を吸収するようにする。
【００１４】
かかるコーナートリム９の取付け構造において、陳列棚５の取付角度θが変わると、これに伴ってコーナートリム９のフリーな端面（非連結側）とこれに対向するタグモール７の端面との間に若干のずれが生じるようになるが、先記のように棚板５ｂに装着したタグモール７をコーナートリム９のフリーな端面に押して突き当てることにより、コーナートリム自身が変形（支持アーム９ａの基部が捩じれる）してタグモールの端面に密着し合うようになり、またコーナートリム８の端面をタグモール７より一回り大きくしておくことで、突き合わせ面方向でのずれも吸収でき、これによりコーナートリムと他方側のタグモールの端面との間が連なった状態になって一体感が得られる。
【００１５】
【発明の効果】
以上述べたように、この発明の構成によれば、ショーケースの庫内に設置した陳列棚のコーナー部に対し、各段の陳列棚を構成する各棚板の前面に装着したタグモールの端面間のコーナー隙間を埋めるようにコーナートリムを装着したことにより、タグモールの途切れが無くなって見栄えがよくなるほか、棚板，タグモールの角張ったコーナー部が露呈しないので怪我のおそれもない。
【００１６】
しかも、このコーナートリムの取付構造に関して、コーナートリムを一方のタグモールにのみ連結し、他方のタグモールとの間をフリー状態に突き合わせたことにより、同じコーナートリムを共通部品として取付角度が異なる棚にも対応させることができ、かつタグモールとの連結手段としてタグモールの端面に軸状の支持アーム，突起付き係合片を一体成形し、これを連結相手側のタグモールの引抜溝内に差し込んで係止固定するようにしたことで、ビスなどを使わずにワンタッチ操作でコーナートリムを簡単にタグモールに装着できるなど、取扱い面でも優れた効果を発揮する。
【図面の簡単な説明】
【図１】この発明の実施例による陳列棚コーナー部分の構成図であり、(a) は平面図、(b) は側断面図
【図２】図１におけるコーナートリムの外形，およびタグモールへの連結の仕方を表した分解斜視図
【図３】この発明の実施対象となるラウンドショーケース全体の概要構成図
【図４】図３における陳列棚コーナー部分の従来の構成図であり、(a) は平面図、(b) は側断面図
【符号の説明】
３    ラウンドショーケース
４    ケース本体
５    陳列棚
５ａ〜５ｃ  棚板
６    プライスカード
７    タグモール
７ｂ  引抜溝
７ｃ  係合穴
９    コーナートリム
９ａ  支持アーム
９ｂ  係合片
９ｃ  突起
θ    棚板の取付角度
【図１】
0003644188.tif 000002
【図２】
0003644188.tif 000003
【図３】
0003644188.tif 000004
【図４】
0003644188.tif 000005